(57)【要約】【課題】  水平回転する回転体を備える場合において、その回転体の機能を損なわずに前面ガラスでの球噛みを抑制することができる遊技機用可変入賞装置及びそれを用いた遊技機を提供する。【解決手段】  遊技機用可変入賞装置４には、台板１０の背面側から前面側に跨るとともに球導入口２０ａの位置を回転変更して遊技球の入賞条件（例えば開放状態と規制状態）を変更する回転体２０と、その回転体２０の回転領域と前面ガラスＧとの間を塞ぐための閉鎖部材４１とが組み込まれている。【選択図】図２
2008228964.tif 000002
【特許請求の範囲】
【請求項１】
遊技機の遊技盤に固定される遊技機用可変入賞装置であって、
前記遊技盤上の遊技球を受け入れるための入賞口を前面側に有する台板と、
遊技球を前記入賞口へ導入し入賞を可能とする球導入口を有し、前記入賞口の上方で前記台板の背面側から前面側に跨るように、上下方向に配置された回転軸線回りで回転可能に取り付けられ、所定の回転角度範囲において前記球導入口が前面側に位置して遊技球の入賞を可能とする開放状態と残余の回転角度範囲においてその入賞を規制する規制状態とを形成するように該球導入口の位置を回転変更する回転体と、
前記台板に固定支持され、前記開放状態と前記規制状態とを形成するように前記回転体を回転変位させる回転体アクチュエータと、
前記台板の前面側に固定支持され、該台板の前面側において、前記回転体の回転領域との干渉を回避するとともに前方に突出する形態をなし、前記回転領域と前記遊技盤の前面側に位置する前面ガラスとの間を塞ぐための閉鎖部材と、
を備えることを特徴とする遊技機用可変入賞装置。
【請求項２】
前記閉鎖部材が、前から見て前記入賞口を通る上下方向の直線を引いたとき、その直線を境界として、それぞれ両側に遊技球が遠ざかる側方に向かって転がるように傾斜する形態で形成される請求項１に記載の遊技機用可変入賞装置。
【請求項３】
前記台板に固定支持され、前記入賞口を前面側から覆う前側装飾部を備え、
前記閉鎖部材が、前記前側装飾部の一部として一体的に形成されている請求項２に記載の遊技機用可変入賞装置。
【請求項４】
前記回転体は、所定の回転角度範囲で前記台板から前面側に突出する部分において、前から見て山形をなす形態で側方へ傾斜する鍔部を形成し、
前記球導入口は、前記鍔部が切り欠かれて形成される開口で構成されており、その球導入口を有する箇所の鍔部が該球導入口を頂部として側方へ傾斜している請求項２又は３に記載の遊技機用可変入賞装置。
【請求項５】
前記鍔部が前記台板の前面側で回転停止状態のとき、前から見て該鍔部の傾斜面又はその延長上に、前記閉鎖部材の傾斜面が一致する請求項４に記載の遊技機用可変入賞装置。
【請求項６】
請求項１ないし５のいずれか１項に記載の遊技機用可変入賞装置が前記遊技盤に固定配置されたことを特徴とする遊技機。
【発明の詳細な説明】
【技術分野】
【０００１】
本発明は、遊技機用可変入賞装置及び遊技機に関する。
【背景技術】
【０００２】
従来より、球入口（入賞口）を開設した取付基板（台板）に対して、その球入口にパチンコ球（遊技球）を導くための球受部材（回転体）がモータの回転駆動によって水平回転することで、その球受部材が取付基板の前面側を通過するときにパチンコ球を受け入れ可能とする一方で、その球受部材が取付基板の裏面側を通過するとき（前面側にないとき）にはパチンコ球の受け入れが不可能なように構成されている入賞装置が知られている（特許文献１参照）。
【０００３】
【特許文献１】特許第２８１３７３９号公報
【発明の開示】
【発明が解決しようとする課題】
【０００４】
ところで、球受部材は平面視において扇状をなしており、水平回転することで取付基板に形成された外側通過部を介して取付基板の前面から出没する。このように、球受部材が一方の外側通過部から出現するとともに、もう一方の外側通過部へ入り込むように水平回転するとき、特にその端部が外側通過部（裏面側）に入り込もうとするときに、球噛みを起す恐れがある。
【０００５】
また、球受部材が取付基板の前面側を通過するとき、その取付基板から前方に張り出された状態となるため、球受部材と前面ガラスとの隙間の距離がパチンコ球の直径とほぼ同じとなる領域があり、この領域にパチンコ球が落ちると球噛み（球詰まり）を起す恐れがある。
【０００６】
しかしながら、球噛みを起さない対策として、取付基板（遊技盤）と前面ガラスとの隙間の距離を大きくすることが考えられるが、パチンコ球の流れが悪化して遊技に支障がでることとなる。或いは、球受部材を小さくすることも考えられるが、球受部材の機能が大きく損なわれるというジレンマがある。
【０００７】
本発明は上記実情に鑑みなされたものであり、水平回転する回転体を備える場合において、その回転体の機能を損なわずに前面ガラスでの球噛みを抑制することができる遊技機用可変入賞装置及びそれを用いた遊技機を提供することにある。
【課題を解決するための手段及び発明の効果】
【０００８】
上記課題を解決するために、本発明の遊技機用可変入賞装置は、
遊技機の遊技盤に固定される遊技機用可変入賞装置であって、
遊技盤上の遊技球を受け入れるための入賞口を前面側に有する台板と、
遊技球を入賞口へ導入し入賞を可能とする球導入口を有し、入賞口の上方で台板の背面側から前面側に跨るように、上下方向に配置された回転軸線回りで回転可能に取り付けられ、所定の回転角度範囲において球導入口が前面側に位置して遊技球の入賞を可能とする開放状態と残余の回転角度範囲においてその入賞を規制する規制状態とを形成するように該球導入口の位置を回転変更する回転体と、
台板に固定支持され、開放状態と規制状態とを形成するように回転体を回転変位させる回転体アクチュエータと、
台板の前面側に固定支持され、該台板の前面側において、回転体の回転領域との干渉を回避するとともに前方に突出する形態をなし、回転領域と遊技盤の前面側に位置する前面ガラスとの間を塞ぐための閉鎖部材と、を備えることを特徴とする。
【０００９】
上記本発明によれば、遊技機用可変入賞装置には、台板の背面側から前面側に跨るとともに球導入口の位置を回転変更して遊技球の入賞条件（例えば開放状態と規制状態）を変更する回転体と、その回転体の回転領域と前面ガラスとの間を塞ぐための閉鎖部材とが組み込まれている。そして、この閉鎖部材は、上から見て回転体の回転領域との干渉を回避するとともに前方に突出する形態をなしている。これにより、閉鎖部材が回転体と前面ガラスとの間の隙間を塞ぐので、遊技球がその隙間に入り込むことがなくなり、回転体と前面ガラスとによる球噛み（球詰り）の発生を抑制又は防止することができる。すなわち、遊技球がその隙間に入り込もうとしても、閉鎖部材に当たりその隙間を流下することすらできない。
【００１０】
閉鎖部材は、前から見て入賞口を通る上下方向の直線を引いたとき、その直線を境界として、それぞれ両側に遊技球が遠ざかる側方に向かって転がるように傾斜する形態で形成することができる。これによれば、閉鎖部材が入賞口を境界としてそれぞれ両側に下る傾斜をなしているので、遊技球が閉鎖部材の上面に乗ったときにその傾斜に沿って転がり、遊技球が閉鎖部材の上に滞留するのを防止することができる。
【００１１】
また、遊技機用可変入賞装置は、台板に固定支持されて入賞口を前面側から覆う前側装飾部を備え、閉鎖部材が、前側装飾部の一部として一体的に形成されている。前面側に位置する前側装飾部を部分的に用いて閉鎖部材を構成することにより、遊技者が違和感を感じることなく自然な形で配置することができる。さらに、前側装飾部の一部とすることで、簡単に回転体の回転領域との干渉を回避するように配置することができる。
【００１２】
回転体は、所定の回転角度範囲で台板から前面側に突出する部分において、前から見て山形をなす形態で側方へ傾斜する鍔部を形成することができる。また、球導入口は、鍔部が切り欠かれて形成される開口で構成されており、その球導入口を有する箇所の鍔部が該球導入口を頂部として側方へ傾斜する構成とすることができる。これによれば、台板の前面側に突出する鍔部が山形をなす形態で側方へ傾斜しているので、遊技球が鍔部の上面に乗ったときにその傾斜に沿って転がり、遊技球が滞留するのを防止することができる。
【００１３】
また、回転体は、所定の回転角度範囲で台板から前面側に突出する鍔部を有し、閉鎖部材が鍔部と同じ高さとなるように配置されている。
【００１４】
具体的には、鍔部が台板の前面側で回転停止状態のとき、前から見て該鍔部の傾斜面又はその延長上に、閉鎖部材の傾斜面が一致する。すなわち、回転体が回転する所定の回転角度範囲において、鍔部の山形形態に形成された傾斜面が、閉鎖部材を含む交差する２つの平面上にそれぞれ一致可能である。これによれば、隣接する鍔部と閉鎖部材とが同じ平面を形成して回転停止状態となるので（同じ平面上で一致するので）、遊技球が鍔部若しくは閉鎖部材の上に乗った場合に滞留することなくスムーズに下方（側方）に誘導される。また、遊技球を自然な動きで弾ませることができる。
【００１５】
そこで、上記課題を解決するために、本発明の遊技機は、
以上のような遊技機用可変入賞装置が遊技盤に固定配置されたことを特徴とする。
【００１６】
これによって、前面ガラスと回転体と間での球噛みを防止できるとともに、興趣に富む盤面構成を有する遊技機を実現することができる。
【発明を実施するための最良の形態】
【００１７】
以下、本発明の実施形態を図面を参照しつつ説明する。図１は本発明に係る遊技機用可変入賞装置を備えた遊技機を例示する正面図、図２は大当たり状態における遊技機用可変入賞装置の一例を示す斜視図及び平面図、図３は図２におけるＡ−Ａ断面図及びＢ−Ｂ断面図、図４は通常状態における遊技機用可変入賞装置の一例を示す斜視図及び平面図、図５は図４におけるＣ−Ｃ断面図及びＤ−Ｄ断面図である。
【００１８】
図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３が搭載され、液晶表示部３の右下方（遊技領域２ｃの右下部）に入賞装置４（遊技機用可変入賞装置）が配置されている。
【００１９】
入賞装置４は、図２及び図３に示すように、遊技盤２に固定される台板１０と、その台板１０の背面側から前面側に跨るように取り付けられる回転体２０と、回転体２０を回転変位させる電動モータ３０（回転体アクチュエータ）と、台板１０の前面側に固定支持される前側装飾部４０とを備えている。
【００２０】
台板１０は、図３（ｂ）に示すように、正面視において円形形状をなし、遊技盤２上の遊技球を前面側から背面側に受け入れるための入賞口１１を有するとともに、その入賞口１１の上方に回転体２０が配置される矩形形状をなす横長の開口部１２を形成している。また、台板１０の背面側には、入賞口１１と一体的かつ連続的に接続され、後方へ延出される玉樋１３が形成されている（図３（ａ）参照）。
【００２１】
玉樋１３の先端部（台板１０背面側）には、電動モータ３０、近接スイッチ３１及びフォトセンサ３２等が取り付けられるハウジング５０が固定されている。近接スイッチ３１は、遊技盤２の遊技球が入賞口１１に入賞したことを検知するための非接触式の検出センサであり、玉樋１３によって案内された遊技球を検出する。フォトセンサ３２は、後述するが回転体２０の回転位置を認識するためのものである。具体的には、フォトセンサ３２は、回転体ギア２３に形成されるスカート状に下方に延出する延出部２３ｂを挟む内外の位置に発光部と受光部とを向かい合わせで配置している。そして、その発光部から受光部への光ビームを遮るようにノッチ２３ｃを有する延出部２３ｂが軸線Ｏ１回りで回転することで、回転体２０の回転位置を認識する。
【００２２】
図２に戻り、回転体２０は、遊技球を入賞口１１へ導入し入賞を可能とする球導入口２０ａを有し、上下方向に配置された回転軸線Ｏ１回りで回転可能に取り付けられている。回転体２０は、所定の回転角度範囲において球導入口２０ａが台板１０の前面側に位置して遊技球の入賞を可能とする開放状態（図２，３参照）と残余（前面側に位置しない）の回転角度範囲においてその入賞を規制する規制状態（図４，５参照）とを形成するように球導入口２０ａの位置を回転変更する。
【００２３】
また、回転体２０は、所定の回転角度範囲で台板１０から前面側に突出する部分において、前から見て山形をなす形態で側方へ傾斜（例えば、傾斜角度θ／２）する鍔部２１を形成している（図５（ｂ）参照）。そして、球導入口２０ａは、鍔部２１が切り欠かれて形成される開口で構成されている。すなわち、切り欠かれた鍔部２１は、球導入口２０ａを形成する球導入口形成部２１ａ，２１ａとして球導入口２０ａの両側に構成される。なお、球導入口形成部２１ａ，２１ａ（鍔部２１）においても、球導入口２０ａを頂部として外側方へ傾斜する（図３（ｂ）参照）。
【００２４】
具体的には、回転体２０は、図３（ａ）に示すように、自身に形成された支軸挿入穴２０ｂと、回転体２０と一体的に回転する回転体ギア２３に形成された支軸挿入穴２３ａとに支軸２２が挿入されて支持されている。すなわち、回転体２０及び回転体ギア２３は、支軸２２の回転軸線Ｏ１回りに回転可能に支持されている。このとき、支軸２２は、下端がハウジング５０に、上端が支軸保持部５１によって保持されている。したがって、電動モータ３０の出力軸が回転することにより出力ギア３０ａが回転して回転体ギア２３に動力が伝達されて回転体２０が回転変位する（図２（ｂ）参照）。なお、回転体２０の回転及び回転停止の位置決めは回転体ギア２３の延出部２３ｂを介してフォトセンサ３２によって行なわれる。
【００２５】
また、本実施例に係る回転体２０は、図２に示すように、上壁２０ｃが平面視において（鍔部２１を含み）円形形状をなし、その上壁２０ｃの所定角度範囲（例えば、２７０度の範囲）の外周縁から下方に延設される周壁２０ｄが形成されている。また、その周壁２０ｄの両端部をつなぐ直線に沿うように側壁２０ｅが形成されている。また、周壁２０ｄ及び側壁２０ｅは、台板１０に形成された開口部１２の高さに対応して延設されている。したがって、上壁２０ｃの外周縁（周壁２０ｄ）が開口部１２に近接するように配置され、回転体２０が常に台板１０の背面側から前面側に跨るように形成される。
【００２６】
ところで、回転体２０は、鍔部２１が周方向に４箇所形成されており、その中の１つが球導入口形成部２１ａ，２１ａを構成して球導入口２０ａを形成している。そして、球導入口２０ａに対応して側壁２０ｅが形成されている。これにより、球導入口２０ａが台板１０の前面側に位置するときに（大当たりのとき等）、側壁２０ｅが開口部１２を塞ぐ形態となり、遊技球が回転体２０の内側に入り込むことなく、問題なく入賞口１１に遊技球を導くことができる（図３（ｂ）参照）。
【００２７】
なお、本実施例においては鍔部２１は周方向に４箇所設けられており、上壁２０ｃの鍔部２１に囲まれた部分が正方形状に形成されているが、これに限定するものではなく、回転体の径の大きさや、回転軸線Ｏ１の台板からの離間距離などにより種々の設定変更を行なうことができる。
【００２８】
続いて、前側装飾部４０は、入賞口１１を前面側から覆うように台板１０に固定支持されている。前側装飾部４０は、図２（ｂ）に示すように、自身の一部として一体的に形成するとともに、回転体２０の回転領域の少なくとも一部と遊技盤２の前面側に位置する前面ガラスＧとの間を塞ぐための閉鎖部４１（閉鎖部材）を備えている。また、閉鎖部４１は、上から見て回転体２０の回転領域との干渉を回避するとともに前方に突出する形態をなしている。すなわち、閉鎖部４１は、台板１０から突出している回転体２０の回転領域の一部を外側から取り囲むように、台板１０側から円弧状に切り欠かれて形成されている。
【００２９】
これにより、台板１０から突出している回転体２０（鍔部２１）とガラス面Ｇとの間の間隔がほとんど無く、遊技球Ｐが流下してきても閉鎖部４１に当たり、球噛み（球詰り）の発生を抑制又は防止している。さらに、閉鎖部４１が台板１０の前面側で回転体２０の回転領域を取り囲んでいるので、台板１０と閉鎖部４１との間隔が狭くなっており、球導入口２０ａ（球導入口形成部２１ａ）が台板１０の背面側に入り込むときにおいて、球噛み（球詰り）の発生を抑制又は防止している。
【００３０】
また、閉鎖部４１が、前から見て入賞口１１を通る上下方向の直線Ｌを境界として、それぞれ両側に遊技球が遠ざかる側方に向かって転がるように傾斜（例えば、傾斜角度θ／２）する山形をなす線上に沿って形成されている。
【００３１】
なお、前側装飾部４０は、台板１０に平行な前飾り部４２や、球導入口２０ａから導入された遊技球を入賞口１１に誘導するための球受け部４３が一体的に形成されており、前飾り部４２には窓部４２ａが形成されている。
【００３２】
以上のように入賞装置４において、回転体２０は軸線Ｏ１回りに回転（水平回転）するため、周方向に並んで形成される各鍔部２１と、前側装飾部４０に形成される閉鎖部４１とが同じ高さとなるように形成されている。各鍔部２１の傾斜面と閉鎖部４１の傾斜面とは、傾斜角度及び傾斜方向とが共に同一に設定されている。すなわち、図３（ｂ）及び図５（ｂ）に示すように、鍔部２１が台板１０の前面側で回転停止状態のとき、前から見て鍔部２１の山形をなす形態を形成する傾斜面又はその延長上に、閉鎖部４１の山形をなす形態を形成する傾斜面が一致する。すなわち、回転体２０の周方向において４箇所に形成された鍔部２１それぞれの傾斜面が、前面側で回転停止したときに、閉鎖部４１の傾斜面と一致する。
【００３３】
次に、このような構成を有する入賞装置４の作動を説明する。入賞装置４は、所定条件（抽選に当選したとき等）となったときに、電動モータ３０が通電状態となり回転体２０を回転変位して球導入口２０ａを前面側に配置して入賞口１１開放させる。そして、所定条件（特定遊技状態が終了したとき）となったときに、電動モータ３０が通電状態となり、回転体２０を回転変位して球導入口２０ａを背面側に配置して入賞口１１を規制させる。
【００３４】
まず、入賞装置４は、通常時（通常遊技時）には、図４及び図５に示すように、遊技球Ｐの入賞を規制する規制状態を形成するように、球導入口２０ａが形成されていない鍔部２１が前面側に位置して回転体２０が回転停止している。すなわち、球導入口２０ａが台板１０の背面側に位置して回転体２０が回転停止している。したがって、入賞口１１の上方では鍔部２１が閉鎖部４１と隣接して配置されているため（前側装飾部４０と鍔部２１によって覆われているため）、遊技球Ｐが矢印のように側方へ流れ、入賞が不可能な状態となっている。
【００３５】
そして、この通常状態から、電動モータ３０が通電状態になると、出力ギア３０ａ及び回転体ギア２３を介して回転体２０が回転される。これによって、図２及び図３に示されるように、球導入口２０ａが前面側に位置するまで回転変位する。これにより、入賞装置４は、球導入口２０ａから遊技球Ｐを導入可能な大当たり状態として利用することができる。
【００３６】
このように、回転体の外周縁（球導入口部分を除く）が閉鎖部に常時近接して回転されているので、通常遊技時や特定遊技時における何れの回転停止位置においても、閉鎖部が回転体と前面ガラスとの間を簡単に塞ぐことができる。
【００３７】
なお、本発明において、上記実施例に限定されるものではなく、特許請求の範囲の趣旨を逸脱しない限りにおいて、目的、用途に応じて当業者の知識に基づく種々の変更が可能である。
【図面の簡単な説明】
【００３８】
【図１】本発明に係る遊技機用可変入賞装置を備えた遊技機を例示する正面図。
【図２】大当たり状態における遊技機用可変入賞装置の一例を示す斜視図及び平面図。
【図３】図２におけるＡ−Ａ断面図及びＢ−Ｂ断面図。
【図４】通常状態における遊技機用可変入賞装置の一例を示す斜視図及び平面図。
【図５】図４におけるＣ−Ｃ断面図及びＤ−Ｄ断面図。
【符号の説明】
【００３９】
１    パチンコ機（遊技機）
２    遊技盤
２ａ  盤面
４    入賞装置（遊技機用可変入賞装置）
１０  台板
１１  入賞口
１２  開口部
１３  玉樋
２０  回転体
２０ａ  球導入口
２０ｂ  支軸挿入穴
２０ｃ  上壁
２０ｄ  周壁
２０ｅ  側壁
２１  鍔部
２２  支軸
２３  回転体ギア
２３ａ  延出部
３０  モータ（回転体アクチュエータ）
３０ａ  出力ギア
３１  近接スイッチ
３２  フォトセンサ
４０  前側装飾部
４１  閉鎖部（閉鎖部材）
４２  前飾り部
４２ａ  窓部
４３  球受け部
５０  ハウジング
５１  支軸保持部
Ｇ  前面ガラス
Ｐ  パチンコ球（遊技球）
【図１】
2008228964.tif 000003
【図２】
2008228964.tif 000004
【図３】
2008228964.tif 000005
【図４】
2008228964.tif 000006
【図５】
2008228964.tif 000007